(57)【要約】    【課題】ディスク装置の周囲を衝撃吸収部材で囲んだ構成において、衝撃吸収部材の熱収縮による変形の影響を少なくする。    【解決手段】ディスク装置１のコネクタ２２を除く筐体部材（ベース・プレート３２）の周囲をフレーム・バンパ３０で囲む。フレーム・バンパ３０のコネクタ２２と対向する部分には、その一部分が伸縮自在である湾曲形状の柔軟部分３０１を形成する。フレーム・バンパ３０の熱収縮による変形を湾曲形状の柔軟部分３０１が伸縮することで吸収することができる。柔軟部分３０１は、サイド・スロット３０２が形成された両側面の間の部分に設けられており、位置はほぼ中央である。また、柔軟部分３０１の上下には切れ目３０３が設けられており、フレーム部材が柔軟部分３０１を中心にして上下方向に変形できるようになっている。【選択図】  図１
2005078764.tif 000002
【特許請求の範囲】
【請求項１】
情報記憶媒体としてのディスクを含む機能部材と、
前記機能部材を収容する筐体部材と、
一辺にコネクタが配置され、前記筐体部材に取り付けられる基板と、
前記筐体部材の前記コネクタが位置する側面以外の側面を覆う衝撃吸収部材とを有し、
前記衝撃吸収部材は前記コネクタと対向する部分の一部に柔軟部分を有することを特徴とするディスク装置。
【請求項２】
前記柔軟部分は、前記衝撃吸収部材の前記コネクタと対向する部分の中央部に形成されることを特徴とする請求項１記載のディスク装置。
【請求項３】
前記柔軟部分は、前記衝撃吸収部材が湾曲された部分であることを特徴とする請求項１記載のディスク装置。
【請求項４】
前記柔軟部分は、前記衝撃吸収部材が湾曲された部分と、切れ目とを有することを特徴とする請求項１記載のディスク装置。
【請求項５】
前記衝撃吸収部材は、弾性部材で構成されたフレーム・バンパであることを特徴とする請求項１記載のディスク装置。
【請求項６】
前記衝撃吸収部材は、内周側が硬度の高い弾性部材であり、外周側が硬度の低い弾性部材で構成されたフレーム・バンパであることを特徴とする請求項１記載のディスク装置。
【請求項７】
前記硬度の高い部材はポリ・カーボネートまたはナイロンであり、硬度の低い部材はポリエステル・エラストマであることを特徴とする請求項６記載のディスク装置。
【請求項８】
ボトム・カバーと、該ボトム・カバーに収容され、一辺にコネクタが配置された基板と、前記コネクタが側面に位置するように前記基板の上に配置されたベース・プレートと、該ベース・プレートに収容されたディスク及びヘッドと、前記ベース・プレートの上面を覆うトップ・カバーと、前記ベース・プレートの前記コネクタが位置する側面以外の側面を覆う衝撃吸収部材とを有し、前記衝撃吸収部材の前記コネクタに隣接する両側面にスロットが形成され、前記コネクタと対向する部分の一部に柔軟部分が形成されていることを特徴とするディスク装置。
【請求項９】
前記柔軟部分は、前記衝撃吸収部材の前記コネクタと対向する部分の中央部に形成されることを特徴とする請求項８記載のディスク装置。
【請求項１０】
前記柔軟部分は、前記衝撃吸収部材が湾曲された部分であることを特徴とする請求項８記載のディスク装置。
【請求項１１】
前記柔軟部分は、前記衝撃吸収部材が湾曲された部分と、切れ目とを有することを特徴とする請求項８記載のディスク装置。
【請求項１２】
前記衝撃吸収部材は、弾性部材で構成されたフレーム・バンパであることを特徴とする請求項８記載のディスク装置。
【請求項１３】
前記衝撃吸収部材は、内周側が硬度の高い弾性部材であり、外周側が硬度の低い弾性部材で構成されたフレーム・バンパであることを特徴とする請求項８記載のディスク装置。
【請求項１４】
前記硬度の高い部材はポリ・カーボネートまたはナイロンであり、硬度の低い部材はポリエステル・エラストマであることを特徴とする請求項１３記載のディスク装置。
【請求項１５】
ボトム・カバーと、該ボトム・カバーに収容され、一辺にコネクタが配置された基板と、前記コネクタが側面に位置するように前記基板の上に配置されたベース・プレートと、該ベース・プレートに収容された磁気ディスク及びヘッドを先端部に備えるアクチュエータ・アッセンブリと、前記ベース・プレートの上面を覆うトップ・カバーと、前記ベース・プレートの前記コネクタが位置する側面以外の側面を覆う衝撃吸収部材であるフレーム・バンパとを有し、前記フレーム・バンパの前記コネクタと対向する部分の一部に柔軟部分が形成されていることを特徴とする磁気ディスク装置。
【請求項１６】
前記柔軟部分は、前記フレーム・バンパの前記コネクタと対向する部分の中央部に形成されることを特徴とする請求項１５記載の磁気ディスク装置。
【請求項１７】
前記柔軟部分は、前記フレーム・バンパが湾曲された部分であることを特徴とする請求項１５記載の磁気ディスク装置。
【請求項１８】
前記柔軟部分は、前記フレーム・バンパが湾曲された部分と、切れ目とを有することを特徴とする請求項１５記載の磁気ディスク装置。
【請求項１９】
前記フレーム・バンパは、内周側が硬度の高い弾性部材であり、外周側が硬度の低い弾性部材で構成されることを特徴とする請求項１５記載の磁気ディスク装置。
【請求項２０】
前記硬度の高い部材はポリ・カーボネートまたはナイロンであり、硬度の低い部材はポリエステル・エラストマであることを特徴とする請求項１９記載の磁気ディスク装置。
【発明の詳細な説明】
【技術分野】
【０００１】
本発明は、耐衝撃性を高めたディスク装置に係り、特に衝撃吸収部材の熱収縮による変形の影響を少なくしたディスク装置に関する。
【背景技術】
【０００２】
従来より、パーソナル・コンピュータ(ＰＣ)やディジタル・カメラ等の各種機器において、取り扱うデータを格納するために、可搬性を備えた記憶媒体が多種多様に提供されている。近年では、これらの記憶媒体の小型化、大容量化が図られており、例えば、小型メモリ・カードの規格の一つであるコンパクト・フラッシュ(Compact Flash:サンディスク社の商標)に準拠した、可搬性のあるハード・ディスク・ドライブ(ＨＤＤ)の新しいアッセンブリ構造が提案されている。
【０００３】
例えば、コンパクト・フラッシュType２規格の小型ハード・ディスク・ドライブでは、サイズ１インチのディスクに１ＧＢの容量を持たせた、重さがわずか１６グラム程度の超小型かつ大容量のハード・ディスク・ドライブも製品化されている。図５に、ディスク装置１と、このディスク装置１が挿入される装着対象物であるＰＣカード２との取り付け関係を示す。ディスク装置１が挿入されるＰＣカード２は、ディスク装置１と同じ、例えばコンパクト・フラッシュType-２等の規格に準拠しており、ディスク装置１を挿入可能に構成されている。ＰＣカード２には、ディスク装置１のコネクタと嵌合するスロット２０１が設けられ、また、ディスク装置１をガイドする相手側レール２０２を備えている。
【０００４】
この可搬性のある小型ハード・ディスク・ドライブにおいても、データを格納する磁気ディスク(ディスク)だけではなく、このディスクを回転駆動させるスピンドル・モータ、このディスクに対しデータを読み書きする読み書きヘッド、読み書きヘッドをディスクの径方向に駆動するアクチュエータ等を備えている。
【０００５】
このような超小型ハード・ディスク・ドライブでは、小型化のために、ディスク、スピンドル・モータ、読み書きヘッド、アクチュエータ等の機能構造部は非常に精密に構成されている。このために、このハード・ディスク・ドライブを落としたりぶつけたりした場合には、その作動に支障をきたす恐れがある。かかる問題を解決するために、特許文献１において、ディスク装置の角部(四隅)に衝撃吸収部材を設け、外部からの衝撃を有効に吸収する技術が提案されている。この特許文献１では、コンパクト・フラッシュの規格に適合するために、他の機器に装着するためのガイド溝にも工夫が加えられている。
【０００６】
【特許文献１】特開２００２−１５５５３号公報(第５−６頁、図３、図４)
【発明の開示】
【発明が解決しようとする課題】
【０００７】
特許文献１では、耐衝撃性に優れ、また、他の機器に装着するためのガイド溝にも工夫が加えられた技術が示されている。しかしながら、近年、機器の精密度が更に強まり、自由に持ち運びができるハード・ディスク・ドライブに対する更なる耐衝撃性の向上が要求されてきている。また、特許文献１では、角部に衝撃吸収部材が設けられていたが、例えば、何かの角部に機器の側面等の平面部が当接した場合や、落下して着地時に角部に衝撃が加わった後、２次的に側面や底面(上面)に衝撃が加わる場合等、機器の四隅以外の衝撃に対しても十分な緩衝機能を有していることが望まれている。
【０００８】
さらに、例えばコンパクト・フラッシュの規格に準拠した製品であるためには、前述のように、そのフォーム・ファクタ(Form Factor)で定められているような端子をアダプタ(カード)に挿入するためのガイド・レールを有する必要がある。かかる場合、衝撃吸収のための衝撃吸収材など、公差の出しにくい材料をガイド・レール部に使用した場合であっても、必要な寸法精度を確保することが要求される。
【０００９】
本発明の目的は、ディスク装置における耐衝撃性を向上させるために、ディスク装置の周囲を衝撃吸収部材で囲んだ構成において、衝撃吸収部材の熱収縮による変形の影響が少ないディスク装置を提供することにある。
【課題を解決するための手段】
【００１０】
上記目的を達成するために、本発明のディスク装置においては、
情報記憶媒体としてのディスクを含む機能部材と、
前記機能部材を収容する筐体部材と、
一辺にコネクタが配置され、前記筐体部材に取り付けられる基板と、
前記筐体部材の前記コネクタが位置する側面以外の側面を覆う衝撃吸収部材とを有し、
前記衝撃吸収部材は前記コネクタと対向する部分の一部に柔軟部分を有することを特徴とする。
【００１１】
上記目的を達成するために、本発明のディスク装置においては、ボトム・カバーと、該ボトム・カバーに収容され、一辺にコネクタが配置された基板と、前記コネクタが側面に位置するように前記基板の上に配置されたベース・プレートと、該ベース・プレートに収容されたディスク及びヘッドと、前記ベース・プレートの上面を覆うトップ・カバーと、前記ベース・プレートの前記コネクタが位置する側面以外の側面を覆う衝撃吸収部材とを有し、前記衝撃吸収部材の前記コネクタに隣接する両側面にスロットが形成され、前記コネクタと対向する部分の一部に柔軟部分が形成されていることを特徴とする。
【００１２】
前記柔軟部分は、前記衝撃吸収部材の前記コネクタと対向する部分の中央部に形成される。
【００１３】
前記柔軟部分は、前記衝撃吸収部材が湾曲された部分である。
【００１４】
前記柔軟部分は、前記衝撃吸収部材が湾曲された部分と、該湾曲部分の上下に設けられた切れ目とを有する。
【００１５】
前記衝撃吸収部材は、弾性部材で構成されたフレーム・バンパである。
【００１６】
前記衝撃吸収部材は、内周側が硬度の高い弾性部材であり、外周側が硬度の低い弾性部材で構成されたフレーム・バンパである。
【００１７】
前記硬度の高い部材はポリ・カーボネートまたはナイロンであり、硬度の低い部材はポリエステル・エラストマである。
【発明の効果】
【００１８】
本発明によれば、ディスク装置の周囲を衝撃吸収部材で囲んだ構成において、衝撃吸収部材の熱収縮による変形の影響を少なくすることができる。
【発明を実施するための最良の形態】
【００１９】
以下、図面を参照して本発明の最良の実施の形態について詳細に説明する。図２に、本発明の実施例によるディスク装置１のアッセンブリ構造を示す。小型メモリ・カードの規格であるコンパクト・フラッシュType-２規格に準拠した記憶媒体、可搬性精密機器として、本実施例によるディスク装置１は、データの記録・再生のための駆動部材(内蔵部)である機能部材１０、機能部材１０の駆動制御やデータ入出力のための回路を形成するカード・アッセンブリ２０を有し、これらが筐体部材によって保持されている。カード・アッセンブリ２０は、基板２１上の一辺に、コンパクト・フラッシュType-２規格のフォーム・ファクタで定める機能、構造を満足するコネクタ(インタフェースコネクタ)２２を備えている。コネクタ２２の表面の一部はボトム・カバー３１側に延長して形成されている。
【００２０】
機能部材１０は、データを格納する記憶媒体として、回転可能に軸支される磁気ディスク(ディスク)１１、磁気ディスク１１に対してデータを読み書きするヘッドを先端部に備えるアクチュエータ・アッセンブリ１２、アクチュエータ・アッセンブリ１２を駆動させるボイス・コイル・モータ(ＶＣＭ)として、ＶＣＭコイルやＶＣＭマグネット等からなるアッセンブリ１３、スピンドル・モータ(図示せず)に磁気ディスク１１を装着した後に磁気ディスク１１をスピンドル・モータに固定するトップ・クランプ１４、ヘッドが磁気ディスク１１から退避する際に乗り上げるランプ機構１５、ディスク装置１が動作していないときに、ヘッドをランプ機構１５に停止させるための、マグネット・ラッチやイナーシャ・ラッチ等からなるラッチ１６を備えている。
【００２１】
筐体部材としては、コンパクト・フラッシュType-２のフォーム・ファクタを有し、衝撃吸収部材(衝撃緩衝材)として弾性部材からなるフレーム・バンパ３０、装置全体を支えるボトム・カバー３１、機能部材１０の各要素を収容するためのベース・プレート３２、ベース・プレート３２に収容された機能部材１０を覆うトップ・カバー３３を備えている。
【００２２】
また、ボトム・カバー３１側からボトム・カバー３１、カード・アッセンブリ２０、フレーム・バンパ３０を突き抜けてこれらをベース・プレート３２に締結するボトム・カバー・スクリュー３４と、トップ・カバー３３をベース・プレート３２へ締結するトップ・カバー・スクリュー３５を備えている。さらに、トップ・カバー３３をベース・プレート３２に取り付けた後、トップ・カバー３３の端部とベース・プレート３２の隙間及びトップ・カバー・スクリュー３５の頭部を覆うシール３６を備えている。
【００２３】
ベース・プレート３２は、従前は、金属のアルミ・ダイキャストによって形成されていた。しかしながら、アルミ・ダイキャストが表面に出ていると、衝撃に対して非常に弱くなる。そこで、本実施例では、鋳造(Casting)で形成されていたフレーム部分の代わりに、衝撃吸収部材としてのフレーム・バンパ３０を採用している。その結果、ベース・プレート３２は、金属板をプレス加工(Pressing)によって形成することが可能となり、鋳造で支配されていた肉厚部分をフレーム・バンパ３０の衝撃吸収部材として利用でき、また、ベース・プレート３２の低価格化に貢献している。尚、アルミ・ダイキャストによってベース・プレート３２を形成し、フレーム・バンパ３０をアッセンブルできる形状を提供することも可能である。但し、量産時の価格の観点からは、プレス加工によってベース・プレート３２を形成することが望ましい。
【００２４】
フレーム・バンパ３０の構成を図１に示す。図１はフレーム・バンパ３０をボトム・カバー３１側から見た斜視図である。フレーム・バンパ３０はベース・プレート３２の変更で生まれたスペースを活用し、衝撃緩衝材としての機能を有し、コンパクト・フラッシュType-２として必要なサイド・スロット３０２を有する１つの成型部品である。この成型部品は、例えばポリエステル・エラストマ等の熱可塑性エラストマで構成されており、適度な弾性と共に、成型後の寸法安定性に優れている。
【００２５】
フレーム・バンパ３０は、その一部分が伸縮自在である湾曲形状の柔軟部分３０１を有する。フレーム・バンパ３０の熱収縮による変形を湾曲形状の柔軟部分３０１が伸縮することで吸収することができる。柔軟部分３０１は、サイド・スロット３０２が形成された側面の間の部分に設けられており、位置はほぼ中央である。柔軟部分３０１の上下には切れ目３０３が設けられており、フレーム部材が柔軟部分３０１を中心にして上下方向に変形できるようになっている。また、フレーム・バンパ３０の柔軟部分３０１が形成された部分は、両側のスロット３０２が形成された部分よりもボトム・カバー３１側に長く形成されており、組み立てられた際にボトム・カバー３１を覆うようになっている。同様にコネクタ２２の両側に位置する部分もボトム・カバー３１側に長く形成されており、組み立てられた際にコネクタ２２の下部と協同してボトム・カバー３１を覆うようになっている。
【００２６】
衝撃緩衝材であるフレーム・バンパ３０をアッセンブリ構造の中央部分に配置することで、トップ・カバー３３側もしくはボトム・カバー３１側からの衝撃に対しても、非常に有効な構造であると言える。更に、フレーム・バンパ３０は、樹脂の２色成型を採用している。このフレーム・バンパ３０は、衝撃緩衝材としての機能とサイド・スロットの機能とを併せ持つことが必要であることから、例えば、芯の部分（内周側）を比較的硬度の高い、例えば、ポリカーボネートやナイロン等によって形成し、周囲（外周側）は、硬度の低く柔らかなポリエステル・エラストマ等を用いている。このような２色成型によって、耐衝撃性を更に向上させることができる。
【００２７】
ベース・プレート３２は金属であることから、仮にベース・プレート３２に樹脂などを直接成型した場合には、強度を考慮して十分なスペースが必要となる。本実施例では、フレーム・バンパ３０をベース・プレート３２と別体にすることで、狭いスペースにて、かかる２色成型を採用している。
【００２８】
金属でできているベース・プレート３２の周囲をポリエステル・エラストマ等の熱可塑性エラストマで構成されたフレーム・バンパー３０で囲むことにより、熱収縮率の違いによりフレーム・バンパ３０が大きく変形することがあるが、フレーム・バンパ３０の柔軟部分３０１が伸縮することで、ディスク装置の外形には影響は及ばない。また、取り付け時には、伸ばしながらそして変形させながら取り付けることができるので、ディスク装置の外形形状の均一性を保つことができる。
【００２９】
図３は、図２に示した各構成部材を組み立てて得られたディスク装置１の、トップ・カバー３３を取り付けていない状態の平面図である。図４はトップ・カバー３３をベース・プレート３２に被せた状態の平面図であり、まだ３本のトップ・カバー・スクリュー３５で締結はされていない。本実施例が適用されるディスク装置１は、組み立てられた際に、衝撃緩衝材としての機能を有するフレーム・バンパ３０でその側面が囲まれた構造となっている。フレーム・バンパ３０は、例えばベース・プレート３２に対して、その周囲が０.５ｍｍ〜１ｍｍだけ大きくなるように設計されており、コネクタ２２の表面とは同等の平面を形成している。また、フレーム・バンパ３０の隅の部分は、最も衝撃が加わり易いことを考慮して肉厚が厚くなるように設計されている。このように周囲(外形の２次元方向である側面)をフレーム・バンパ３０とコネクタ２２で覆うことで、側面方向の衝撃に対して、ディスク装置１を保護することが可能となる。
【００３０】
このように、本実施例では、自由に持ち運びができる、といった可搬性、携帯性の高い、例えば、コンパクト・フラッシュType-２等の規格に対応したフォーム・ファクタのディスク装置１に対して、このディスク装置１を落下させた際、本体に加わる衝撃を吸収するための機能を備えている。このとき、装置の最外部にフレーム・バンパ３０の一部とコネクタ２２が配置されるように構成され、ベース・プレート３２やトップ・カバー３３などは、フレーム・バンパ３０から引っ込むように設計されている。これによって、最初に床等に当接する箇所がフレーム・バンパ３０となり、本体へ加わる衝撃を最小限に留めることができる。
【００３１】
また、金属でできているベース・プレート３２の周囲をポリエステル・エラストマ等の熱可塑性エラストマで構成されたフレーム・バンパー３０で囲むことにより、熱収縮率の違いによりフレーム・バンパ３０が大きく変形することがあるが、フレーム・バンパ３０の柔軟部分３０１が伸縮することで、ディスク装置の外形には影響は及ばない。また、取り付け時には、伸ばしながらそして変形させながら取り付けることができるので、ディスク装置の外形形状の均一性を保つことができる。
【図面の簡単な説明】
【００３２】
【図１】本発明の一実施例によるフレーム・バンパの構成を示す斜視図である。
【図２】本発明の一実施例によるディスク装置のアッセンブリ構造を示す分解斜視図である。
【図３】図２に示した各構成部材を組み立てて得られたディスク装置の平面図である。
【図４】図３に示したディスク装置にトップ・カバーを被せた状態を示す平面図である。
【図５】ディスク装置と、ディスク装置が挿入されるＰＣカードとの関係を示す斜視図である。
【符号の説明】
【００３３】
１…ディスク装置、２…ＰＣカード、１０…機能部材、１１…磁気ディスク、１２…アクチュエータ・アッセンブリ、１３…ＶＣＭアッセンブリ、１４…トップ・クランプ、２０…カード・アッセンブリ、２１…基板、２２…コネクタ(インタフェースコネクタ)、３０…フレーム・バンパ、３０１…柔軟部分、３０２…サイド・スロット、３０３…切れ目、３１…ボトム・カバー、３２…ベース・プレート、３３…トップ・カバー、３４…ボトム・カバー・スクリュー、３５…トップ・カバー・スクリュー、３６…シール。
【図１】
2005078764.tif 000003
【図２】
2005078764.tif 000004
【図３】
2005078764.tif 000005
【図４】
2005078764.tif 000006
【図５】
2005078764.tif 000007